(57)【要約】      （修正有） 【課題】オゾンの使用後に即回収し、かつ酸素に還元するオゾン還元装置を提供する。【解決手段】オゾン発生手段３とガイド管路４と還元管路５とを含んでなり、該オゾン発生手段３から発生したオゾンを気体駆動ポンプ３１で送り出し、該ガイド管路４は、一端が該オゾン発生手段３に接続し、他端がノズル４１に接続するとともに、該ガイド管路４内にガイド流路４２と逆流路とを形成し、該ガイド流路４２の一端が該オゾン発生手段３に連通し、該ガイド流路４２の他端が該ノズル４１に連通し、該ノズル４１の外周にノズルカバー４４を設け、かつ該ノズルカバー４４と該ノズル４１との間に少なくとも１以上の通路を形成し、該通路の一端が該逆流路の一端に連通し、該逆流路の他端は該還元管路５に連通し、該還元流路５には発熱部材を内設し、かつ該還元流路５に通気孔５３を穿設し、該通気孔５３が排気管５３１を介して真空ポンプ５５に接続する。【選択図】図２
0003213212.tif 000002
【実用新案登録請求の範囲】
【請求項１】
オゾン発生手段とガイド管路と還元管路とを含んでなり、
該オゾン発生手段から発生したオゾンを気体駆動ポンプで送り出し、
該ガイド管路は、一端が該オゾン発生手段に接続し、他端がノズルに接続するとともに、該ガイド管路内にガイド流路と逆流路とを形成し、該ガイド流路の一端が該オゾン発生手段に連通し、該ガイド流路の他端が該ノズルに連通し、
該ノズルの外周にノズルカバーを設け、かつ該ノズルカバーと該ノズルとの間に  少なくとも１以上の通路を形成し、該通路の一端が該逆流路の一端に連通し、  該逆流路の他端は該還元管路に連通し、
該還元流路には発熱部材を内設し、かつ該還元流路に通気孔を穿設し、該通気口が排気管を介して真空ポンプに接続し、
オゾンは該ガイド管路から該ノズルに送られてオゾンによる消毒に供され、その後、該通路と該逆流路を経て、該還元管路に送られ、該還元管路において該発熱部材による加熱還元が行われた後に、該真空ポンプによって抽出されることを特徴とするオゾン還元装置。
【請求項２】
前記還元管路に別途温度感知手段を設け、該温度感知手段は位置を該還元管路上にシフト可能であって、該還元管路が該発熱部材によって加熱されると、該温度感知手段が該還元管路の温度を感知して該発熱部材の温度を調整することを特徴とする請求項１に記載のオゾン還元装置。
【請求項３】
前記還元管路には、該発熱部材に嵌設し、オゾンを該還元管路内に停留する時間を増やすための気体遅延部材を設けることを特徴とする請求項１に記載のオゾン還元装置。
【請求項４】
前記気体遅延部材が螺旋状を呈することを特徴とする請求項３に記載のオゾン還元装置。
【請求項５】
前記温度感知手段が制御手段に電気的に接続し、該制御手段によって該発熱部材の加熱温度を調整することを特徴とする請求項２に記載のオゾン還元装置。
【請求項６】
前記オゾン還元装置が、該オゾン発生手段と、該気体駆動ポンプと、該還元管路を内設するハウジングを含み、該ガイド管路が該ハウジングを通過することを特徴とする請求項１に記載のオゾン還元装置。
【考案の詳細な説明】
【技術分野】
【０００１】
この考案は、一種の還元装置に関し、特にオゾンを使用した後、即回収して酸素に還元するオゾン還元装置に関する。
【背景技術】
【０００２】
オゾンは、昨今の社会においてますます使用頻度が高まっている。オゾンの殺菌効果は、殺菌を必要とする場所、用途に幅広く運用されている。例えば、手術室、又は器具の消毒などが挙げられる。但し、オゾンが完全に消去されていない場合、もしくは濃度が完全に低下していない場合、人類の呼吸系統にある程度の傷害を与える。目下、空調設備を利用して空間内のオゾンを希釈して排出することでオゾンの濃度を低下させている。但し、係る方式はオゾンを排出して空間内の濃度を低下させるだけであって、二次汚染の発生を完全に除去することができない。即ち、従来の技術による設備では、オゾンを使用する場合に、同時にオゾンを回収することができない。
【考案の概要】
【考案が解決しようとする課題】
【０００３】
この考案は、上述する従来の技術の問題を解決するためのものであって、オゾンの使用後に即回収し、かつ酸素に還元するオゾン還元装置を提供することを改題とする。
【課題を解決するための手段】
【０００４】
上述する従来の技術にみられる問題を改善するために、この考案の提供するオゾン還元装置は、ハウジングと、オゾン発生手段とガイド管路と還元管路とを含んでなり、該オゾン発生手段は該ハウジングに内設し、該オゾン発生手段から発生したオゾンを気体駆動ポンプで送り出す。
【０００５】
該ガイド管路は該ハウジングに内設し、かつ該ガイド管路は一端が該オゾン発生手段に接続し、他端がノズルに接続する。また、該ガイド管路内にガイド流路と逆流路とを形成し、該ガイド流路の一端が該オゾン発生手段に連通し、該ガイド流路の他端が該ノズルに連通し、該ノズルの外周にノズルカバーを設ける。また該ノズルカバーと該ノズルとの間には、少なくとも１以上の通路を形成し、該通路の一端が該逆流路の一端に連通し、該逆流路の他端は該還元管路に連通する。
【０００６】
該還元流路は該ハウジングに内設し、かつ該還元流路には発熱部材を内設する。また、該還元流路に通気孔を穿設し、該通気口が排気管を介して真空ポンプに接続し、オゾンが該ガイド管路から該ノズルに送られ、かつオゾンによる消毒に供した後、オゾンが該通路を経て該逆流路に移動し、該還元管路に送られ、該還元回路において該発熱部材がオゾンに対して加熱還元を行い、該真空ポンプによって抽出される。
【考案の効果】
【０００７】
上述する構造によって、この考案によるオゾン還元装置は、オゾンを発生させて殺菌、消毒に供した後、即オゾンを回収して酸素に還元することができ、オゾンによる二次汚染の発生を防ぐことができる。
【図面の簡単な説明】
【０００８】
【図１】この考案によるオゾン発生装置の外観を示した斜視図である。
【図２】この考案によるオゾン発生装置の構造を示した説明図である。
【図３】この考案によるオゾン発生装置の構造を他の角度から見た説明図である。
【図４】この考案によるオゾン発生装置の局部構造を示した説明図である。
【図５】この考案におけるノズルとノズルカバーの構造を示した説明図である。
【図６】この考案によるオゾン発生装置の動作を示した説明図である。
【図７】この考案によるオゾン発生装置の動作を示した他の説明図である。
【図８】この考案のノズルとノズルカバーにおける動作を示した説明図である。
【図９】この考案によるオゾン発生装置の使用態様の一を示した説明図である。
【考案を実施するための形態】
【０００９】
この考案は、オゾンを発生させて殺菌、消毒に供した後、即オゾンを回収して酸素に還元することができるオゾン還元装置を提供するものであって、オゾン発生手段とガイド管路と還元管路とを含んでなり、該オゾン発生手段から発生したオゾンを気体駆動ポンプで送り出し、該ガイド管路は、一端が該オゾン発生手段に接続し、他端がノズルに接続するとともに、該ガイド管路内にガイド流路と逆流路とを形成し、該ガイド流路の一端が該オゾン発生手段に連通し、該ガイド流路の他端が該ノズルに連通し、該ノズルの外周にノズルカバーを設け、かつ該ノズルカバーと該ノズルとの間に少なくとも１以上の通路を形成し、該通路の一端が該逆流路の一端に連通し、該逆流路の他端は該還元管路に連通し、該還元流路には発熱部材を内設し、かつ該還元流路に通気孔を穿設し、該通気口が排気管を介して真空ポンプに接続する。係るオゾン発生装置の構造と特徴を詳述するために、具体的な実施例を挙げ、図面を参照にして以下に説明する。
【実施例】
【００１０】
図１から図９は、この考案による装置の組み立てた状態、及び局部の構造を示した説明図１〜４、及び実施例の構造を示した説明図１〜４である。図面に開示するように、オゾン還元装置１は、ハウジング２と、オゾン発生手段３と、ガイド管路４と、還元管路５とを含んでなる。
【００１１】
オゾン発生手段３ハウジング２に内設し、かつオゾン発生手段３は気体駆動ポンプ３１に接続する。ガイド管路４は、一端がオゾン発生手段３に接続し、かつハウジング２を通過するとともに、他端がノズル４１に接続し、かつガイド管路４内にガイド流路４２と逆流路４３とを形成する。
【００１２】
実施例においては、ガイド流路４２はガイド管路４の中央の位置に形成し、逆流路４３はガイド流路４２の周囲に形成する。またガイド管路４は、一端がガイド流路４２によってオゾン発生手段３に連通し、かつ他端がノズル４１に連通する。
【００１３】
また、ノズル４１は、外周にノズルカバー４４を設ける。ノズルカバー４４とノズル４１との間には少なくとも１以上の通路４５が形成される。通路４５は逆流路４３の一端に連通し、かつ逆流路４３の他端は還元管路５に連通する。還元管路５はハウジング２内に設け、かつ還元管路５には発熱手段５１と、気体遅延部材５２とを設けるとともに、還元管路５の一方の側に通気孔５３を穿設し、温度感知手段５４を設ける。
【００１４】
気体遅延部材５２は、螺旋状の部材であって発熱手段５１に嵌設する。通気孔５３は排気管５３１を介して真空ポンプ５５に接続する。温度感知手段５４は、制御手段６に電気的に接続する。
【００１５】
オゾン還元装置１を操作して使用する場合、先ず発熱手段５１を起動して還元管路５を加熱する。次いで気体駆動ポンプ３１とオゾン発生手段３と真空ポンプ５５とを起動する。気体駆動ポンプ３１は、オゾン発生手段３から発生するオゾンに加圧して駆動し、ガイド４２に送る。真空ポンプ５５は排気管５３１と通気孔５３とを介して還元管路５に対して気体抽出の動作を行なう。
【００１６】
オゾンが気体駆動ポンプ３１によって加圧され、ガイド管路４のガイド流路４２に送られる場合、オゾンはガイド流路４２を通過し、ノズル４１に送られ、オゾンを利用した消毒の動作に供する。使用後のオゾンは真空ポンプ５５の抽出の動作によって、通路４５から逆流路４３に送られる。使用後のオゾンが逆流路４３を通過すると、還元流路５に向かって流れる。オゾンが還元流路５を通過する際には、発熱部材５１がオゾンに対して加熱還元の動作を行なう。この場合、気体遅延部材５２を設けることによって、オゾンの還元流路５に停留する時間を効率よく増やすことができる。還元されたオゾンは、通気孔５３から排気管５３１を介して、接続する真空ポンプ５５によって抽出される。よって、オゾンを使用した後、即回収し、かつ酸素に還元するという効果が得られる。
【００１７】
また、使用後のオゾンの濃度が異なると、相対的に高温還元する温度も異なってくる。よって、温度感知手段５４を還元管路５上に位置をシフトさせ、還元管路５内において発熱手段５１が過熱を行なうと、温度感知手段５４が還元管路５に対して位置を調整し、かつ異なるオゾンの濃度に基づき、還元管路５内の温度が対応しているか感知する。温度が低すぎるか、又は高すぎると温度感知手段５４が感知すると、制御手段６によって発熱手段５１の温度を調整し、異なるオゾン濃度に基づく温度調整を達成し、オゾンを効率よく還元するという効果が得られる。
【００１８】
図９に開示するように、オゾン還元装置１は医療器具用の滅菌ケース７に取り付けてもよい。この場合、ガイド管路４のノズル４１を取り外して滅菌ケース７に接続する。この場合、ガイド管路４と滅菌ケース７との間には接続部材７１を介在させて接続し、ガイド流路管を滅菌ケース７内部の収納空間に連通させる。滅菌ケース７に収納した物品に対してオゾンを使用して滅菌する場合、真空ポンプ５５によって先に気体抽出の動作を行なう。よって、真空ポンプ５５は排気管５３１と通気孔５３と還元管路５と逆流路４３とが連通していることから、滅菌ケース７の内部空間に対して気体の真空抽出の動作を行い、滅菌ケース７の気体が抽出されて真空状態になるのを待って、気体駆動ポンプ３１とオゾン発生手段３を起動し、オゾンを加圧してガイド流路４２に送り、かつオゾンを滅菌ケース７の内部空間に送る。よって、滅菌ケース７に収納した物品に対してオゾンによる殺菌、消毒の効果が得られる。
【符号の説明】
【００１９】
１           オゾン還元装置
２           ハウジング
３           オゾン発生手段
３１         気体駆動ポンプ
４           ガイド管路
４１         ノズル
４２         ガイド流路
４３         逆流路
４４         ノズルカバー
４５         通路
５           還元管路
５１         発熱部材
５２         気体遅延部材
５３         通気孔
５３１       排気管
５４         温度感知手段
５５         真空ポンプ
６           制御手段
７           滅菌ケース
７１         接続部材
【図１】
0003213212.tif 000003
【図２】
0003213212.tif 000004
【図３】
0003213212.tif 000005
【図４】
0003213212.tif 000006
【図５】
0003213212.tif 000007
【図６】
0003213212.tif 000008
【図７】
0003213212.tif 000009
【図８】
0003213212.tif 000010
【図９】
0003213212.tif 000011
【手続補正書】
【提出日】平成29年8月23日(2017.8.23)
【手続補正１】
【補正対象書類名】実用新案登録請求の範囲
【補正対象項目名】全文
【補正方法】変更
【補正の内容】
【実用新案登録請求の範囲】
【請求項１】
オゾン発生手段とガイド管路と還元管路とを含んでなり、
該オゾン発生手段から発生したオゾンを気体駆動ポンプで送り出し、
該ガイド管路は、一端が該オゾン発生手段に接続し、他端がノズルに接続するとともに、該ガイド管路内にガイド流路と逆流路とを形成し、該ガイド流路の一端が該オゾン発生手段に連通し、該ガイド流路の他端が該ノズルに連通し、
該ノズルの外周にノズルカバーを設け、かつ該ノズルカバーと該ノズルとの間に  少なくとも１以上の通路を形成し、該通路の一端が該逆流路の一端に連通し、  該逆流路の他端は該還元管路に連通し、
該還元管路には発熱部材を内設し、かつ該還元管路に通気孔を穿設し、該通気孔が排気管を介して真空ポンプに接続し、
オゾンは該ガイド管路から該ノズルに送られてオゾンによる消毒に供され、その後、該通路と該逆流路を経て、該還元管路に送られ、該還元管路において該発熱部材による加熱還元が行われた後に、該真空ポンプによって抽出されることを特徴とするオゾン還元装置。
【請求項２】
前記還元管路に別途温度感知手段を設け、該温度感知手段は位置を該還元管路上にシフト可能であって、該還元管路が該発熱部材によって加熱されると、該温度感知手段が該還元管路の温度を感知して該発熱部材の温度を調整することを特徴とする請求項１に記載のオゾン還元装置。
【請求項３】
前記還元管路には、該発熱部材に嵌設し、オゾンを該還元管路内に停留する時間を増やすための気体遅延部材を設けることを特徴とする請求項１に記載のオゾン還元装置。
【請求項４】
前記気体遅延部材が螺旋状を呈することを特徴とする請求項３に記載のオゾン還元装置。
【請求項５】
前記温度感知手段が制御手段に電気的に接続し、該制御手段によって該発熱部材の加熱温度を調整することを特徴とする請求項２に記載のオゾン還元装置。
【請求項６】
前記オゾン還元装置が、該オゾン発生手段と、該気体駆動ポンプと、該還元管路を内設するハウジングを含み、該ガイド管路が該ハウジングを通過することを特徴とする請求項１に記載のオゾン還元装置。